(57)【特許請求の範囲】
【請求項１】
誘電体層と前記誘電体層を介して交互に積層された少なくとも１組の第１の内部電極および第２の内部電極とを有する略直方体形状のコンデンサ本体と、
前記コンデンサ本体の外部に設けられ、前記第１の内部電極に導通された少なくとも１層の第１の端子電極と、
前記コンデンサ本体の外部に設けられ、前記第２の内部電極に導通された少なくとも１層の第２の端子電極と、
前記第１の端子電極と前記第２の端子電極とを絶縁する少なくとも１層の絶縁体層と
を備え、
前記第１の内部電極には前記第１の端子電極に導通される第１の引出電極が形成されていると共に、前記第２の内部電極には前記第２の端子電極に導通される第２の引出電極が形成され、
前記第１の引出電極の端部と前記第２の引出電極の端部とが、前記コンデンサ本体の少なくとも１つの外部側面において、前記外部側面の面内で交互に表出するように形成され、
前記第１の端子電極と前記第２の端子電極とが、前記外部側面において前記絶縁体層を介して部分的に対向するように交互に積層されている
ことを特徴とする積層コンデンサ。
【請求項２】
前記外部側面における前記第１の引出電極の端部に対応する第１の領域上には前記第１の端子電極のみが積層されると共に、前記第２の引出電極の端部に対応する第２の領域上には前記第２の端子電極のみが積層され、
前記外部側面における前記第１および第２の領域以外の領域上には、前記第１の端子電極と前記第２の端子電極とが前記絶縁体を介して部分的または全体的に対向するように積層されている
ことを特徴とする請求項１に記載の積層コンデンサ。
【請求項３】
前記第１の端子電極、前記第２の端子電極および前記絶縁体層がそれぞれ複数の層で構成され、
前記第１の端子電極および前記第２の端子電極はそれぞれ、前記外部側面側から前記コンデンサ本体の上面または下面の少なくとも一方に延在する上面電極部または下面電極部を有し、
前記複数層の第１の端子電極のうち最下層にある第１の端子電極が、前記外部側面において前記第１の引出電極の端部に直接導通されると共に、それよりも上層にある第１の端子電極が前記上面電極部または下面電極部を介して前記第１の引出電極の端部に導通され、
前記複数層の第２の端子電極のうち最下層にある第２の端子電極が、前記外部側面において前記第２の引出電極の端部に直接導通されると共に、それよりも上層にある第２の端子電極が前記上面電極部または下面電極部を介して前記第２の引出電極の端部に導通されている
ことを特徴とする請求項１に記載の積層コンデンサ。
【発明の詳細な説明】
【技術分野】
【０００１】
本発明は、誘電体層を介して複数の内部電極を交互に積層して構成されたコンデンサに関し、特に、電源回路に接続されるデカップリングコンデンサなどに利用される積層コンデンサに関する。
【背景技術】
【０００２】
従来より、内部電極を誘電体層を介して積層した積層コンデンサが知られている。図１７および図１８は、従来の一般的な積層コンデンサの一構成例を示している。この積層コンデンサは、略直方体形状のコンデンサ本体１０１と、コンデンサ本体１０１の長手方向にある第１の外部側面部分に形成された正極側端子電極１０２と、第１の外部側面に対向する第２の外部側面部分に形成された負極側端子電極１０３とを備えている。コンデンサ本体１０１の内部には、図１８に示したように、例えばセラミック誘電体からなる誘電体層１１３を介して、内部正極電極１１１および内部負極電極１１２を１組とした複数組の内部電極が積層されている。内部正極電極１１１および内部負極電極１１２は、略長方形状で、積層方向に交互に対向するように積層されている。内部正極電極１１１の一端部は、コンデンサ本体１０１の第１の外部側面に表出し、正極側端子電極１０２に導通されている。内部負極電極１１２の一端部は、コンデンサ本体１０１の第２の外部側面に表出し、負極側端子電極１０３に導通されている。
【０００３】
ところで、通常、コンデンサは、容量成分の他に等価直列抵抗（ＥＳＲ）や等価直列インダクタンス（ＥＳＬ）を有しており、これにより共振回路が形成され、その共振周波数よりも高い帯域ではコンデンサとして機能しなくなる。共振周波数はＥＳＬの値が小さいほど高くなるので、コンデンサにおいては、ＥＳＬを低減することが望まれている。特に、半導体集積回路の電源回路に使用されるデカップリングコンデンサなどでは、高速動作に対応した低ＥＳＬ化が要求されている。
【０００４】
特許文献１，２には、積層コンデンサにおいて低ＥＳＬ化を図るための技術が開示されている。図１９、図２０、および図２１を参照して、その低ＥＳＬ化の図られた低ＥＳＬコンデンサについて説明する。この低ＥＳＬコンデンサは、略直方体形状のコンデンサ本体２０１と、コンデンサ本体２０１の短手方向に対向する第１および第２の外部側面に形成された正極側端子電極２０２および負極側端子電極２０３とを備えている。正極側端子電極２０２と負極側端子電極２０３は、各側面内で交互に配置されている。コンデンサ本体２０１の内部には、例えばセラミック誘電体からなる誘電体層２１３を介して、内部正極電極２１１および内部負極電極２１２を１組とした複数組の内部電極が積層されている。内部正極電極２１１および内部負極電極２１２は、上下方向に交互に対向するように積層されている。なお、図１９では説明を簡略化するため１組の内部電極のみを図示しているが、複数組の内部電極が積層されていても良い。
【０００５】
内部正極電極２１１は、図２０に示したように全体として略長方形状とされ、短手方向に対向する２辺に、正極側端子電極２０２に導通される凸形状の正極側引出電極２２１が複数形成されている。内部負極電極２１２も同様、図２１に示したように全体として略長方形状とされ、短手方向に対向する２辺に、負極側端子電極２０３に導通される凸形状の負極側引出電極２２２が複数形成されている。正極側引出電極２２１と負極側引出電極２２２は、内部正極電極２１１と内部負極電極２１２とを対向配置した状態で上下方向から見たときに、水平面内で交互に配置されるような位置に形成されている。正極側引出電極２２１の端部がコンデンサ本体２０１の第１および第２の外部側面に表出し、正極側端子電極２０２に導通される。負極側引出電極２２２も同様に、端部がコンデンサ本体２０１の第１および第２の外部側面に表出し、負極側端子電極２０３に導通される。
【０００６】
このような構成とすることで、内部正極電極２１１では、図２０に示したように正極側引出電極２２１の端部側から内側方向へと電流ｉが流れる。一方、内部負極電極２１２では逆に、図２１に示したように内側から負極側引出電極の端部２２２側へと電流ｉが流れる。このように内部正極電極２１１と内部負極電極２１２とで、電流ｉの流れる向きが逆になる。これにより、内部正極電極２１１において電流ｉによって発生する磁界の向きと、内部負極電極２１２において電流ｉによって発生する磁界の向きとが逆方向となり、それらの磁界が互いに打ち消し合う。これによって、ＥＳＬの低減が図られる。
【特許文献１】特開２００１−１８５４４１号公報
【特許文献２】特開２００３−１６８６２１号公報
【発明の開示】
【発明が解決しようとする課題】
【０００７】
しかしながら、この低ＥＳＬコンデンサにおいて、ＥＳＬの発生は内部電極２１１，２１２のみで起きているわけではなく、実際には外部の端子電極２０２，２０３でも発生している。このため、内部電極２１１，２１２に対してのみＥＳＬ対策を行ったのではＥＳＬの低減効果は不十分である。
【０００８】
図２２（Ａ），図２２（Ｂ）および図２３を参照して、端子電極２０２，２０３でのＥＳＬについて説明する。なお、図２３は上面方向から見た端子電極２０２，２０３の配置を模式的に示したものである。図２０および図２１を参照して説明した内部電極２１１，２１２内での電流の流れる向きと同様に、正極側端子電極２０２と負極側端子電極２０３とでは、電流ｉの流れる向きが互いに逆向きになっており、互いに発生する磁界が打ち消し合っている（図２２（Ｂ）参照）。ここで、図２３に示したように端子電極２０２，２０３の部分に注目してみると、正極側端子電極２０２と負極側端子電極２０３との間に仮想的にグランド面ＧＮＤができている。言い換えると、端子電極２０２，２０３の近くにできるこの仮想的グランド面ＧＮＤによる効果で、ＥＳＬが小さくなるといえる。しかし、この構造では仮想的にできるグランド面ＧＮＤに対して端子電極２０２，２０３同士の対向面積が小さいために、端子電極部分のＥＳＬの低減効果が小さくなってしまっている。従って、この端子電極２０２，２０３同士の対向面積を大きくすることができれば、端子電極２０２，２０３の部分においてＥＳＬをより低減できると考えられる。
【０００９】
本発明はかかる問題点に鑑みてなされたもので、その目的は、端子電極部分におけるＥＳＬを大幅に低減することができる積層コンデンサを提供することにある。
【課題を解決するための手段】
【００１０】
本発明による積層コンデンサは、誘電体層と誘電体層を介して交互に積層された少なくとも１組の第１の内部電極および第２の内部電極とを有するコンデンサ本体と、コンデンサ本体の外部に設けられ、第１の内部電極に導通された少なくとも１層の第１の端子電極と、コンデンサ本体の外部に設けられ、第２の内部電極に導通された少なくとも１層の第２の端子電極と、第１の端子電極と第２の端子電極とを絶縁する少なくとも１層の絶縁体層とを備えている。そして、第１の端子電極と第２の端子電極とが、絶縁体層を介して部分的に対向するように交互に積層されているものである。
【００１１】
本発明による積層コンデンサでは、第１の端子電極と第２の端子電極とが絶縁体層を介して部分的に対向するように交互に積層されていることで、第１の端子電極と第２の端子電極との間の仮想グランド面に対する対向面積が大きくなる。これにより、第１の端子電極に発生する磁界と第２の端子電極に発生する磁界とが、十分に打ち消し合い、ＥＳＬが低減される。
【００１２】
本発明による積層コンデンサにおいて、コンデンサ本体は略直方体形状に形成され、第１の内部電極には第１の端子電極に導通される第１の引出電極が形成されていると共に、第２の内部電極には第２の端子電極に導通される第２の引出電極が形成され、第１の引出電極の端部と第２の引出電極の端部とが、コンデンサ本体の少なくとも１つの外部側面において、外部側面の面内で交互に表出するように形成されている。そして、第１の端子電極と第２の端子電極とが、外部側面において絶縁体を介して部分的に対向するように交互に積層されている。
【００１３】
ここで、本発明による積層コンデンサにおいて、外部側面における第１の引出電極の端部に対応する第１の領域上には第１の端子電極のみが積層されると共に、第２の引出電極の端部に対応する第２の領域上には第２の端子電極のみが積層されるようにしても良い。そして、外部側面における第１および第２の領域以外の領域上には、第１の端子電極と第２の端子電極とが絶縁体を介して部分的または全体的に対向するように積層されるようにしても良い。
【００１４】
また、第１の端子電極、第２の端子電極および絶縁体層がそれぞれ複数の層で構成され、第１の端子電極および第２の端子電極はそれぞれ、外部側面側からコンデンサ本体の上面または下面の少なくとも一方に延在する上面電極部または下面電極部を有していても良い。そして、複数層の第１の端子電極のうち最下層にある第１の端子電極が、外部側面において第１の引出電極の端部に直接導通されると共に、それよりも上層にある第１の端子電極が上面電極部または下面電極部を介して第１の引出電極の端部に導通されていても良い。同様にして、複数層の第２の端子電極のうち最下層にある第２の端子電極が、外部側面において第２の引出電極の端部に直接導通されると共に、それよりも上層にある第２の端子電極が上面電極部または下面電極部を介して第２の引出電極の端部に導通されていても良い。
【発明の効果】
【００１６】
本発明の積層コンデンサによれば、第１の端子電極と第２の端子電極とを絶縁体層を介して部分的に対向するように交互に積層するようにしたので、第１の端子電極と第２の端子電極との間の仮想グランド面に対する対向面積を大きくすることができ、これにより、端子電極部分におけるＥＳＬを大幅に低減することができる。
【発明を実施するための最良の形態】
【００１７】
以下、本発明の実施の形態について図面を参照して詳細に説明する。
［第１の実施の形態］
【００１８】
まず、本発明の第１の実施の形態に係る積層コンデンサについて説明する。図１は、本実施の形態に係る積層コンデンサの全体構成を示している。この積層コンデンサは、例えば電源回路におけるデカップリングコンデンサに使用される。この積層コンデンサは、略直方体形状のコンデンサ本体１と、コンデンサ本体１の短手方向に対向する第１および第２の外部側面に形成された正極側端子電極２および負極側端子電極３とを備えている。
ここで、本実施の形態において、正極側端子電極２が本発明における「第１の端子電極」の一具体例に相当し、負極側端子電極３が本発明における「第２の端子電極」の一具体例に相当する。
【００１９】
正極側端子電極２と負極側端子電極３は、後述するように部分的に対向するように、側面に直交する方向に交互に積層されているが、側面の最表面では絶縁体層４を介して面内で交互に配置されるような構造とされている。なお、図１では、正極側端子電極２、負極側端子電極３および絶縁体層４の厚みを省略して図示を簡略化している。また、図１では、第１の外部側面の構造のみ図示されているが、第２の外部側面の構造も、面内における正極側端子電極２と負極側端子電極３との配置関係が逆になるのみで、基本的には同じである。
なお、図１では１つの側面の最表面に、正極側端子電極２と負極側端子電極３とが２つずつ交互に配置されるような構造とされているが、最表面に形成する端子電極の数は、特にこれに限定されるものではなく、これよりも多いまたは少ない構成でも良い。また、端子電極を形成する面は、短手方向に対向する面に限らず、長手方向に対向する面にあっても良い。また、端子電極は１つの側面にのみ形成されていても良いし、３つ以上の側面に形成されていても良い。なお、その場合、コンデンサ本体１内の内部電極の形状もそれに対応して変更する。
【００２０】
コンデンサ本体１の内部には、図２および図３に示したような内部正極電極１１および内部負極電極１２を１組として、少なくとも１組の内部電極が積層されている。内部正極電極１１および内部負極電極１２は、例えばセラミック誘電体からなる図示しない誘電体層を介して、上下方向に交互に対向するように積層されている。
ここで、本実施の形態において、内部正極電極１１が本発明における「第１の内部電極」の一具体例に相当し、内部負極電極１２が本発明における「第２の内部電極」の一具体例に相当する。
【００２１】
内部正極電極１１は、図２に示したように全体として略長方形状とされ、短手方向に対向する２辺に、正極側端子電極２に導通される凸形状の正極側引出電極２１が複数形成されている。正極側引出電極２１は、コンデンサ本体１の側面の最表面に形成された正極側端子電極２の数に対応する数だけ設けられている。内部負極電極１２も同様、図３に示したように全体として略長方形状とされ、短手方向に対向する２辺に、負極側端子電極３に導通される凸形状の負極側引出電極２２が複数形成されている。負極側引出電極２２は、最表面に形成された負極側端子電極３の数に対応する数だけ設けられている。正極側引出電極２１と負極側引出電極２２は、内部正極電極１１と内部負極電極１２とを対向配置した状態で上下方向から見たときに、水平面内で交互に配置されるような位置に形成されている。
ここで、本実施の形態において、正極側引出電極２１が本発明における「第１の引出電極」の一具体例に相当し、負極側引出電極２２が本発明における「第２の引出電極」の一具体例に相当する。
【００２２】
正極側引出電極２１の端部と負極側引出電極２２の端部は、最表面の正極側端子電極２と負極側端子電極３との配置に対応して、コンデンサ本体１の第１および第２の外部側面において、面内で交互に表出するように形成されている。正極側引出電極２１の端部がコンデンサ本体１の第１および第２の外部側面に表出することで、正極側端子電極２に導通される。負極側引出電極２２も同様に、端部がコンデンサ本体１の第１および第２の外部側面に表出することで、負極側端子電極３に導通される。
【００２３】
コンデンサ本体１において、内部正極電極１１では、図２に示したように正極側引出電極２１の端部側から内側方向へと電流ｉが流れる。一方、内部負極電極１２では逆に、図３に示したように内側から負極側引出電極の端部２２側へと電流ｉが流れる。このように内部正極電極１１と内部負極電極１２とで、電流ｉの流れる向きが逆になる。これにより、内部正極電極１１において電流ｉによって発生する磁界の向きと、内部負極電極１２において電流ｉによって発生する磁界の向きとが逆方向となり、それらの磁界が互いに打ち消し合う。これによって、コンデンサ本体１内における内部電極でのＥＳＬの低減が図られる。
【００２４】
次に、図４（Ａ）〜図４（Ｅ）を参照して、正極側端子電極２、負極側端子電極３および絶縁体層４からなる端子電極部分の構造を、その形成工程と共に詳細に説明する。なお、以下ではコンデンサ本体１の第１の外部側面における構造を例に説明するが、第２の外部側面の構造、およびその形成工程も実質的に同様である。
【００２５】
図４（Ａ）は、端子電極形成前のコンデンサ本体１の第１の外部側面を示している。図４（Ａ）に示したように正極側引出電極２１の端部と負極側引出電極２２の端部とが、第１および第２の面内で交互に表出するように形成されている。なお、図４（Ａ）では２組の内部電極が積層されている例を示している。すなわち、２つの内部正極電極１１と２つの内部負極電極１２とが交互に積層されている例である。
【００２６】
この第１の外部側面にまず、第１の工程として、負極側端子電極３を印刷法などにより形成する（図４（Ｂ））。この場合において、負極側端子電極３が正極側引出電極２１に導通しないように、正極側引出電極２１の端部に対応する第１の領域には負極側端子電極３を形成しないようにする。また、負極側端子電極３が負極側引出電極２２に直接導通されるように、少なくとも負極側引出電極２２の端部に対応する第２の領域を含む領域上に負極側端子電極３を形成する。好ましくは、図４（Ｂ）に示したように、第１の領域を除く領域全体に負極側端子電極３を形成する。
【００２７】
次いで、第２の工程として、第１の絶縁体層４Ａを印刷法などにより積層形成する（図４（Ｃ））。第１の絶縁体層４Ａは、正極側端子電極２と負極側端子電極３とが導通しないようにするためのものである。第１の絶縁体層４Ａは、図４（Ｃ）に示したように、正極側引出電極２１の端部に対応する第１の領域と負極側引出電極２２の端部に対応する第２の領域との間の領域に形成する。
【００２８】
次いで、第３の工程として、正極側端子電極２を印刷法などにより積層形成する（図４（Ｄ））。この場合において、正極側端子電極２が下層の負極側端子電極３を介して負極側引出電極２２に導通しないように、負極側引出電極２２の端部に対応する第２の領域には正極側端子電極２を形成しないようにする。また、正極側端子電極２が正極側引出電極２１に導通されるように、少なくとも正極側引出電極２１の端部に対応する第１の領域を含む領域上に正極側端子電極２を形成する。好ましくは、図４（Ｄ）に示したように、第２の領域を除く領域全体に正極側端子電極２を形成する。
【００２９】
次いで、第４の工程として、第２の絶縁体層４Ｂを印刷法などにより積層形成する（図４（Ｅ））。第２の絶縁体層４Ｂは、正極側引出電極２１の端部に対応する第１の領域と負極側引出電極２２の端部に対応する第２の領域とを除く領域に形成する。
【００３０】
なお、以上の工程において、負極側端子電極３を形成する工程と正極側端子電極２を形成する工程との順番を逆に実施しても良い。また、図４（Ｂ）〜図４（Ｅ）の工程を複数回実施し、多層化した構造にしても良い。
【００３１】
以上の工程により最終的には、第１の外部側面の最表面では、正極側端子電極２と負極側端子電極３とが、第２の絶縁体層４Ｂを介して面内で交互に配置されるような構造となる。また、第１の外部側面における正極側引出電極２１の端部に対応する第１の領域上には正極側端子電極２のみが、側面に直交する方向に積層される。また、負極側引出電極２２の端部に対応する第２の領域上には負極側端子電極３のみが、側面に直交する方向に積層されることとなる。また、第１の外部側面における第１および第２の領域以外の領域上には、正極側端子電極２と負極側端子電極３とが第１の絶縁体層４Ａを介して、部分的または全体的に対向するように積層されることとなる。
【００３２】
図５は、以上の工程を経た後の端子電極部分の水平方向の断面を部分的に拡大して示している。端子電極部分において、より大きいＥＳＬの低減効果を得るためには、仮想グランド面ＧＮＤに対する各端子電極の距離を短くすると共に、各端子電極の対向面積を増やすことである。本実施の形態に係る積層コンデンサでは、上記各工程を経て正極側端子電極２と負極側端子電極３とが第１の絶縁体層４Ａを介して部分的に対向するように交互に積層されることで、正極側端子電極２と負極側端子電極３との間の仮想グランド面ＧＮＤに対する対向面積を大きくすることができる。また、正極側端子電極２と負極側端子電極３との間は、第１の絶縁体層４Ａの厚みで規定されるので、仮想グランド面ＧＮＤに対する各端子電極の距離を短くすることができる。これにより、正極側端子電極２に発生する磁界と負極側端子電極３に発生する磁界とが十分に打ち消し合い、端子電極部分におけるＥＳＬを大幅に低減することができる。
［第２の実施の形態］
【００３３】
次に、本発明の第２の実施の形態に係る積層コンデンサについて説明する。なお、上記第１の実施の形態に係る積層コンデンサと実質的に同一の構成部分には同一の符号を付し、適宜説明を省略する。
【００３４】
図６は、本実施の形態に係る積層コンデンサの一構成例を示している。この積層コンデンサは、上記第１の実施の形態（図１）に係る積層コンデンサと比べて、コンデンサ本体１の構造は同じであるが、端子電極部分の構造が異なっている。この積層コンデンサは、正極側端子電極２、負極側端子電極３および絶縁体層４がそれぞれ、後述するように複数の層で構成されている。また、各層の正極側端子電極２が、外部側面側からコンデンサ本体１の上面および下面に延在する上面電極部３１および下面電極部を有している。同様に、各層の負極側端子電極３が、外部側面側からコンデンサ本体１の上面および下面に延在する上面電極部３２および下面電極部を有している。
なお、図６では上面電極部３１，３２のみを図示しているが、下面電極部の構造も基本的には同じである。なお、上面電極部および下面電極部のうち、いずれか一方のみを有する構造であっても良い。
【００３５】
次に、図７（Ａ）〜図７（Ｃ）および図８（Ａ）〜図８（Ｄ）、ならびに図９（Ａ）〜図９（Ｃ）および図１０（Ａ）〜図１０（Ｄ）を参照して、本実施の形態における端子電極部分の構造を、その形成工程と共に詳細に説明する。なお、以下ではコンデンサ本体１の第１の外部側面における構造を例に説明するが、第２の外部側面の構造、およびその形成工程も実質的に同様である。なお、図７（Ａ）〜図７（Ｃ）および図８（Ａ）〜図８（Ｄ）は、第１の外部側面方向から見た工程図であり、図９（Ａ）〜図９（Ｃ）および図１０（Ａ）〜図１０（Ｄ）は、第１の外部側面部分を斜視方向から見た工程図である。なお、これらの図では各層の厚みを省略して図示を簡略化している。
【００３６】
コンデンサ本体１における第１の外部側面にまず、第１の工程として、最下層となる１層目の負極側端子電極３Ａを印刷法などにより形成する（図７（Ａ），図９（Ａ））。この場合において、負極側端子電極３Ａが正極側引出電極２１に導通しないように、正極側引出電極２１の端部に対応する第１の領域には負極側端子電極３Ａを形成しないようにする。また、負極側端子電極３Ａが負極側引出電極２２に直接導通されるように、少なくとも負極側引出電極２２の端部に対応する第２の領域を含む領域上に負極側端子電極３Ａを形成する。また、第２の領域から上面および下面に延在するように、１層目の上面電極部３２Ａおよび下面電極部を形成する。好ましくは、図７（Ａ），図９（Ａ）に示したように、第１の領域を除く領域全体に負極側端子電極３Ａを形成する。ただし、側面部分において、１層目の上面電極部３２Ａおよび下面電極部との連結部分を図示したように凸形状に形成し、さらに、連結部分以外の部分は凹形状となるように形成する。これは、１層目の負極側端子電極３Ａが、これよりも上層の正極側端子電極２Ａ，２Ｂ側の上面電極部３１Ａ，３１Ｂおよび下面電極部に導通するのを防ぐためである。
【００３７】
次いで、第２の工程として、第１の絶縁体層４Ａを印刷法などにより積層形成する（図７（Ｂ），図９（Ｂ））。第１の絶縁体層４Ａは、次に形成される１層目の正極側端子電極２Ａと下層の負極側端子電極３Ａとが導通しないようにするためのものである。第１の絶縁体層４Ａは、図７（Ｂ），図９（Ｂ）に示したように、正極側引出電極２１の端部に対応する第１の領域を除く側面領域全体に形成する。
【００３８】
次いで、第３の工程として、１層目の正極側端子電極２Ａを印刷法などにより積層形成する（図７（Ｃ），図９（Ｃ））。この場合において、側面部分のほぼ全領域上に正極側端子電極２Ａを形成する。また、正極側引出電極２１の端部に対応する第１の領域から上面および下面に延在するように、１層目の上面電極部３１Ａおよび下面電極部を形成する。ただし、側面部分において、１層目の上面電極部３１Ａおよび下面電極部との連結部分を図示したように凸形状に形成し、さらに、連結部分以外の部分は凹形状となるように形成する。これは、１層目の正極側端子電極２Ａが、これよりも上層の負極側端子電極３Ｂ側の上面電極部３２Ｂおよび下面電極部に導通するのを防ぐためである。
【００３９】
次いで、第４の工程として、第２の絶縁体層４Ｂを印刷法などにより積層形成する（図８（Ａ），図１０（Ａ））。第２の絶縁体層４Ｂは、次に形成される２層目の負極側端子電極３Ｂと下層の正極側端子電極２Ａとが導通しないようにするためのものである。第２の絶縁体層４Ｂは、図８（Ａ），図１０（Ａ）に示したように、側面領域全体に形成する。
【００４０】
次いで、第５の工程として、２層目の負極側端子電極３Ｂを印刷法などにより積層形成する（図８（Ｂ），図１０（Ｂ））。この場合において、側面部分のほぼ全領域上に負極側端子電極３Ｂを形成する。また、負極側引出電極２２の端部に対応する第２の領域から上面および下面に延在するように、２層目の上面電極部３２Ｂおよび下面電極部を形成する。ただし、側面部分において、２層目の上面電極部３２Ｂおよび下面電極部との連結部分を図示したように凸形状に形成し、さらに、連結部分以外の部分は凹形状となるように形成する。これは、２層目の負極側端子電極３Ｂが、これよりも上層の正極側端子電極２Ｂ側の上面電極部３１Ｂおよび下面電極部に導通するのを防ぐためである。
【００４１】
次いで、第６の工程として、第３の絶縁体層４Ｃを印刷法などにより積層形成する（図８（Ｃ），図１０（Ｃ））。第３の絶縁体層４Ｃは、負極側引出電極２２の端部に対応する第２の領域を除く領域全体に形成する。
【００４２】
次いで、第７の工程として、２層目の正極側端子電極２Ｂを印刷法などにより積層形成する（図８（Ｄ），図１０（Ｄ））。この場合において、正極側引出電極２１の端部に対応する第１の領域にのみ正極側端子電極２Ｂを形成する。また、第１の領域から上面および下面に延在するように、２層目の上面電極部３１Ｂおよび下面電極部を形成する。
【００４３】
なお、以上の工程において、負極側端子電極３を形成する工程と正極側端子電極２を形成する工程との順番を逆に実施しても良い。
【００４４】
以上の工程により最終的には、複数層の正極側端子電極２のうち最下層にある正極側端子電極２Ａが、第１の外部側面において正極側引出電極２１の端部に直接導通されると共に、それよりも上層にある正極側端子電極２Ｂが上面電極部３１Ａ，３１Ｂおよび下面電極部を介して正極側引出電極２１の端部に導通されることとなる。また、複数層の負極側端子電極３のうち最下層にある負極側端子電極３Ａが、第１の外部側面において負極側引出電極２２の端部に直接導通されると共に、それよりも上層にある負極側端子電極３Ｂが上面電極部３２Ａ，３２Ｂおよび下面電極部を介して負極側引出電極２２の端部に導通されることとなる。
【００４５】
本実施の形態に係る積層コンデンサによれば、正極側端子電極２および負極側端子電極３を絶縁体層４を介して複数層で構成すると共に、上層にある端子電極を上面電極部３１，３２および下面電極部を介して、最下層の端子電極に接続し、間接的に正極側引出電極２１および負極側引出電極２２に導通するようにしたので、側面部分での正極側端子電極２と負極側端子電極３との対向面積を第１の実施の形態に係る積層コンデンサに比べて、さらに大きくすることができる。これにより、端子電極部分におけるＥＳＬを、より大幅に低減することができる。
［第３の実施の形態］
【００４６】
次に、本発明の第３の実施の形態に係る積層コンデンサについて説明する。
図１１は、本実施の形態に係る積層コンデンサの全体構成を示している。この積層コンデンサは、図１２にその断面構造を示したように略直方体形状のコンデンサ本体１Ａを備えている。この積層コンデンサはさらに、コンデンサ本体１Ａの外周面に積層された正極側端子電極６１、負極側端子電極６２、および第１の絶縁体層６３Ａ、第２の絶縁体層６３Ｂを備えている。正極側端子電極６１、負極側端子電極６２、および第１の絶縁体層６３Ａ、第２の絶縁体層６３Ｂは、後述するように部分的に対向するように、外周面に直交する方向に交互に積層されている。ここで、本実施の形態において、正極側端子電極６１が本発明における「第１の端子電極」の一具体例に相当し、負極側端子電極６２が本発明における「第２の端子電極」の一具体例に相当する。
なお、第１の絶縁体層６３Ａは、下層に形成されているため、図１では図示されていない。また、図１では、正極側端子電極６１、負極側端子電極６２、および第２の絶縁体層６３Ｂの厚みを省略して図示を簡略化している。
【００４７】
この積層コンデンサの最表面において、コンデンサ本体１Ａの長手方向にある第１の外部側面部分に表出するように正極側端子電極６１が形成されている。また、最表面において、第１の外部側面に対向する第２の外部側面部分に表出するように負極側端子電極６２が形成されている。また、最表面において、正極側端子電極６１と負極側端子電極６２との間の領域に表出するように第２の絶縁体層６３Ｂが形成されている。
【００４８】
コンデンサ本体１Ａの内部には、図１２に示したように、例えばセラミック誘電体からなる誘電体層５３を介して、内部正極電極５１および内部負極電極５２を１組とした複数組の内部電極が積層されている。内部正極電極５１および内部負極電極５２は、略長方形状で、積層方向に交互に対向するように積層されている。内部正極電極５１の一端部は、コンデンサ本体１Ａの第１の外部側面に表出し、正極側端子電極６１に導通されている。内部負極電極５２の一端部は、コンデンサ本体１Ａの第２の外部側面に表出し、負極側端子電極６２に導通されている。
ここで、本実施の形態において、内部正極電極５１が本発明における「第１の内部電極」の一具体例に相当し、内部負極電極５２が本発明における「第２の内部電極」の一具体例に相当する。
【００４９】
次に、図面を参照して、コンデンサ本体１Ａの外周面における端子電極部分の構造を、その形成工程と共に詳細に説明する。なお、図１３（Ａ），図１４（Ａ），図１５（Ａ），図１６（Ａ）は上面方向から見た工程図であり、図１３（Ｂ），図１４（Ｂ），図１５（Ｂ），図１６（Ｂ）は、垂直方向断面（図１３（Ａ），図１４（Ａ），図１５（Ａ），図１６（Ａ）のＡＡ線断面）から見た工程図である。なお、説明の都合上、各工程図において各層の厚みはコンデンサ本体１Ａの厚みに対して誇張して描いている。
【００５０】
まず、第１の工程として、コンデンサ本体１Ａの外周面に正極側端子電極６１を印刷法などにより形成する（図１３（Ａ），図１３（Ｂ））。この場合において、正極側端子電極６１が第２の外部側面に表出した内部負極電極５２の一端部に導通しないように、第２の外部側面部分以外の領域（負極側端子電極６２を表出させる領域以外の領域）に形成する。
【００５１】
次いで、第２の工程として、第１の絶縁体層６３Ａを印刷法などにより積層形成する（図１４（Ａ），図１４（Ｂ））。第１の絶縁体層６３Ａは、次に形成される負極側端子電極６２と下層の正極側端子電極６１とが導通しないようにするためのものである。第１の絶縁体層６３Ａは、第１の外部側面部分の領域（正極側端子電極６１を表出させる領域）と第２の外部側面部分の領域（負極側端子電極６２を表出させる領域）との間の領域全体に形成する。
【００５２】
次いで、第３の工程として、負極側端子電極６２を印刷法などにより形成する（図１５（Ａ），図１５（Ｂ））。この場合において、負極側端子電極６２が正極側端子電極６１に導通しないように、第１の外部側面部分以外の領域（正極側端子電極６１を表出させる領域以外の領域）に形成する。
【００５３】
次いで、第４の工程として、第２の絶縁体層６３Ｂを印刷法などにより積層形成する（図１６（Ａ），図１６（Ｂ））。第２の絶縁体層６３Ｂは、第１の外部側面部分の領域（正極側端子電極６１を表出させる領域）と第２の外部側面部分の領域（負極側端子電極６２を表出させる領域）との間の領域全体に形成する。
【００５４】
なお、以上の工程において、正極側端子電極６１を形成する工程と負極側端子電極６２を形成する工程との順番を逆に実施しても良い。また、上記した各工程を複数回実施し、多層化した構造にしても良い。
【００５５】
以上の工程により最終的には、コンデンサ本体１Ａの外周面において、第１の外部側面を含む第１の領域上には正極側端子電極６１のみが積層されると共に、第２の外部側面を含む第２の領域上には負極側端子電極６２のみが積層されることとなる。また、コンデンサ本体１Ａの外周面において、第１および第２の領域以外の領域上には、正極側端子電極６１と負極側端子電極６２とが第１の絶縁体層６３Ａを介して全体的に対向するように積層されることとなる。
【００５６】
本実施の形態に係る積層コンデンサによれば、上記第１および第２の領域以外の領域上において正極側端子電極６１と負極側端子電極６２とが第１の絶縁体層６３Ａを介して全体的に対向するように積層されるようにしたので、一般的な構造の積層コンデンサにおける端子電極部分でのＥＳＬを大幅に低減することができる。
【００５７】
なお、本発明は、上記各実施の形態に限定されず種々の変形実施が可能である。例えば、上記各実施の形態では、２組の内部電極が積層されている例、すなわち、２つの内部正極電極と２つの内部負極電極とが交互に積層されている構成例を示したが、内部電極の積層数はこれよりも多くても構わない。
【図面の簡単な説明】
【００５８】
【図１】本発明の第１の実施の形態に係る積層コンデンサの全体構成を示す外観図である。
【図２】本発明の第１の実施の形態に係る積層コンデンサにおける内部正極電極の構造を示す平面図である。
【図３】本発明の第１の実施の形態に係る積層コンデンサにおける内部負極電極の構造を示す平面図である。
【図４】本発明の第１の実施の形態に係る積層コンデンサにおける端子電極部分の形成工程を説明するための工程図である。
【図５】端子電極部分の水平方向の断面図である。
【図６】本発明の第２の実施の形態に係る積層コンデンサの全体構成を示す外観図である。
【図７】本発明の第２の実施の形態に係る積層コンデンサにおける端子電極部分の形成工程を説明するための側面方向から見た工程図である。
【図８】図７に続く工程図である。
【図９】図７に対応する斜視方向から見た工程図である。
【図１０】図８に対応する斜視方向から見た工程図である。
【図１１】本発明の第３の実施の形態に係る積層コンデンサの全体構成を示す外観図である。
【図１２】本発明の第３の実施の形態に係る積層コンデンサにおけるコンデンサ本体の積層方向の断面図である。
【図１３】本発明の第３の実施の形態に係る積層コンデンサにおける端子電極部分の形成工程を説明するための第１の工程図であり、（Ａ）は上面方向から見た工程図であり、（Ｂ）は垂直方向断面から見た工程図である。
【図１４】図１３（Ａ），（Ｂ）に続く第２の工程図であり、（Ａ）は上面方向から見た第２の工程図であり、（Ｂ）は垂直方向断面から見た第２の工程図である。
【図１５】図１４（Ａ），（Ｂ）に続く第３の工程図であり、（Ａ）は上面方向から見た第３の工程図であり、（Ｂ）は垂直方向断面から見た第３の工程図である。
【図１６】図１５（Ａ），（Ｂ）に続く第４の工程図であり、（Ａ）は上面方向から見た第４の工程図であり、（Ｂ）は垂直方向断面から見た第４の工程図である。
【図１７】従来の積層コンデンサの全体構成を示す外観図である。
【図１８】従来の積層コンデンサの積層方向の断面図である。
【図１９】従来の低ＥＳＬコンデンサの基本構成を示す外観図である。
【図２０】従来の低ＥＳＬコンデンサにおける一方の内部電極の構成を示す平面図である。
【図２１】従来の低ＥＳＬコンデンサにおける他方の内部電極の構成を示す平面図である。
【図２２】従来の低ＥＳＬコンデンサの構成を示す図であり、（Ａ）は上面方向から見た図、（Ｂ）は側面方向から見た図である。
【図２３】従来の低ＥＳＬコンデンサにおける問題点を説明するための図である。
【符号の説明】
【００５９】
１…コンデンサ本体、２…正極側端子電極、３…負極側端子電極、４…絶縁体層、１１…内部正極電極、１２…内部負極電極、２１…正極側引出電極、２２…負極側引出電極。
【図１】
0004635749.tif 000002
【図２】
0004635749.tif 000003
【図３】
0004635749.tif 000004
【図４】
0004635749.tif 000005
【図５】
0004635749.tif 000006
【図６】
0004635749.tif 000007
【図７】
0004635749.tif 000008
【図８】
0004635749.tif 000009
【図９】
0004635749.tif 000010
【図１０】
0004635749.tif 000011
【図１１】
0004635749.tif 000012
【図１２】
0004635749.tif 000013
【図１３】
0004635749.tif 000014
【図１４】
0004635749.tif 000015
【図１５】
0004635749.tif 000016
【図１６】
0004635749.tif 000017
【図１７】
0004635749.tif 000018
【図１８】
0004635749.tif 000019
【図１９】
0004635749.tif 000020
【図２０】
0004635749.tif 000021
【図２１】
0004635749.tif 000022
【図２２】
0004635749.tif 000023
【図２３】
0004635749.tif 000024